(57)【要約】      （修正有）【課題】丸いバネの塑性変形を減らすことができ、それによってスプリングマットレスの快適性を高め、スプリングマットレスの弾性および耐久性を改善することができる折り畳み可能な張力スプリングマットレスを提供する。【解決手段】スプリング鋼とスプリング鋼を被覆するラッピングブランケット４０を含み、スプリング鋼は複数の丸いバネ１０および丸いバネ１０に直列接続された複数の貫通バネ２０を含み、丸いバネ１０の長方形行列は同じ水平面上にあり、隣接列の丸いバネ１０間に間隔が置かれ、隣接行の丸いバネ１０の支持リングが互いに隣接または交差する。ラッピングブランケット４０により直線圧力を張力に変換し、張力がスプリング綱の周りに作用し丸いバネ１０および貫通バネ２０に対する引張力に変換され、さらに力がそれぞれの丸いバネ１０上に均等に分散する。【選択図】図４
0003227270.tif 000002
【実用新案登録請求の範囲】
【請求項１】
スプリング綱を備え、前記スプリング綱は複数の丸いバネおよび丸いバネに直列接続された複数の貫通バネを含み、丸いバネの長方形行列は同じ水平面上にあり、隣接列の丸いバネの間に間隔Ｈが置かれ、隣接行の丸いバネの支持リングが互いに隣接または交差する折り畳み可能な張力スプリングマットレスにおいて、
前記貫通バネの一端が１行の丸いバネから挿入され、貫通バネの他端が隣接行の丸いバネから引き出され、貫通バネと丸いバネの引出箇所または挿入箇所に接触部が形成され、それぞれの前記丸いバネ上にすべて１つの挿入接触部および１つの引出接触部があり、前記丸いバネの凹部に貫通バネを係止するための貫通バネ止め輪が溶接され、貫通バネ止め輪は、２つの止め輪が十字に交差し溶接されてなり、それぞれの貫通バネ止め輪上に２つの貫通バネが十字型交差状に挿入され、一方の貫通バネが貫通バネ止め輪の一方の止め輪を貫通し、かつ該貫通バネが貫通バネ止め輪の他方の止め輪に直列接続され、貫通バネと他方の止め輪とに２つの接触部が形成され、
さらにスプリング綱を被覆するラッピングブランケットを備え、前記スプリング綱の周りが接着剤でラッピングブランケットの周りに固定的に接続され、前記ラッピングブランケットは、坪量５５０〜６００ｇのウールブランケットまたは化学繊維ブランケットであることを特徴とする折り畳み可能な張力スプリングマットレス。
【請求項２】
前記丸いバネの自由高さが１５６ｍｍであり、上端および下端の直径が５２ｍｍであり、凹部直径が４２ｍｍであり、丸いバネのワイヤ直径が１．７５ｍｍであり、前記丸いバネの巻き数が６ターン以上であり、前記貫通バネのワイヤ直径が１．４ｍｍであり、ねじ径が８．１ｍｍであり、ピッチが１１ｍｍであることを特徴とする請求項１に記載の折り畳み可能な張力スプリングマットレス。
【請求項３】
綿ビスコースおよびプラスチック製のバランス綱をさらに備え、前記プラスチック製のバランス綱がスプリング綱と接触しており、前記ラッピングブランケットはプラスチック製のバランス綱を被覆し、前記綿ビスコースはラッピングブランケットを被覆することを特徴とする請求項２に記載の折り畳み可能な張力スプリングマットレス。
【請求項４】
前記貫通バネの両端がすべて丸いバネ上に固定的に巻かれることを特徴とする請求項３に記載の折り畳み可能な張力スプリングマットレス。
【考案の詳細な説明】
【技術分野】
【０００１】
本考案は、マットレスの分野に属し、具体的には折り畳み可能な張力スプリングマットレスに関する。
【背景技術】
【０００２】
他の材料で作られたマットレスと比較して、スプリングマットレスはより丈夫で耐久性があり、スプリングマットレスは非常に通気性があり、耐衝撃性があり、その柔らかさおよび人間の支持力も比較的合理的であり、ストレスによる不快感を感じず、ユーザーは最も快適な姿勢を簡単に見つけることができる。
【０００３】
従来のスプリングマットレスは、一般的に、丸いバネ、貫通バネ、直径３２ｍｍの支持スプリング、クリップチップおよび直径５０ｍｍの上部エンクロージャーフレームおよび下部エンクロージャーフレームで構成され、図１はスプリングマットレスの側面図であり、図１を見ると、上部エンクロージャーフレームと丸いバネの上端がクリップチップによって固定的に接続され、下部エンクロージャーフレームと丸いバネの下端がクリップチップによって固定的に接続され、支持スプリングの両端がそれぞれ下部エンクロージャーフレームおよび上部エンクロージャーフレームに固定的に接続される。ユーザーが上部エンクロージャーフレームに座ると、図２に示すように、支持スプリングが圧縮され、上部エンクロージャーフレームがクリップチップを介して丸いバネを横に引っ張り、このとき、丸いバネの上端が垂直方向の圧力ではなく横方向の引張力を受け、丸いバネが横方向の引張力により塑性変形しやすく、長期間使用すると丸いバネが損傷し、丸いバネの支持作用が低下し、支持スプリングが長期間または複数回圧縮されると、支持スプリングが塑性変形し、上部エンクロージャーフレームおよび下部エンクロージャーフレームと接続されている丸いバネ、貫通バネ、支持スプリングおよびクリップチップが伸びた状態で長期間保持され、丸いバネ及び貫通バネの損傷がさらに大きくなる場合もある。
【０００４】
図３は従来のスプリングマットレスにおける丸いバネと貫通バネとの接続方式の平面模式図であり、１行目の丸いバネと２行目の丸いバネとが第１貫通バネ１によって直列接続され、２行目の丸いバネと３行目の丸いバネとが第２貫通バネ２によって直列接続され、第１貫通バネ１および第２貫通バネ２によって丸いバネが直列接続される場合、第１貫通バネ１および第２貫通バネ２の左端がまず２行目の丸いバネに挿入され、そして１行目および３行目の丸いバネから引き出され、第１貫通バネ１および第２貫通バネ２と丸いバネとの挿入接触部がすべて２行目の丸いバネの左側に位置し、第１貫通バネ１および第２貫通バネ２と丸いバネとの引出接触部がすべて１行目および３行目の丸いバネの右側に位置する。図３に示すように、２行目の丸いバネが左への横向力を受けると、横向力によって２行目の丸いバネが押圧され１行目の丸いバネおよび３行目の丸いバネからずれ、各列の凹形スプリングが不均等に配置され、長期間使用すると丸いバネおよび貫通バネが塑性変形しやすく、スプリングマットレスが変形して耐用年数が短くなる。
【考案の概要】
【考案が解決しようとする課題】
【０００５】
本考案は、丸いバネの塑性変形を低減し、スプリングマットレスの快適性を高め、スプリングマットレスの弾性および耐久性を改善することができる折り畳み可能な張力スプリングマットレスを提供することを目的とする。
【課題を解決するための手段】
【０００６】
上記の目的を達成するために、本考案の基本的な解決策は以下の通りである。スプリング綱を備え、前記スプリング綱は複数の丸いバネおよび丸いバネに直列接続された複数の貫通バネを含み、丸いバネの長方形行列は同じ水平面上にあり、隣接列の丸いバネの間に間隔Ｈが置かれ、隣接行の丸いバネの支持リングが互いに隣接または交差する折り畳み可能な張力スプリングマットレスにおいて、前記貫通バネの一端が１行の丸いバネから挿入され、貫通バネの他端が隣接行の丸いバネから引き出され、貫通バネと丸いバネの引出箇所または挿入箇所に接触部が形成され、それぞれの前記丸いバネ上にすべて１つの挿入接触部および１つの引出接触部があり、前記丸いバネの凹部に貫通バネを係止するための貫通バネ止め輪が溶接され、貫通バネ止め輪は、２つの止め輪が十字に交差し溶接されてなり、それぞれの貫通バネ止め輪上に２つの貫通バネが十字型交差状に挿入され、一方の貫通バネが貫通バネ止め輪の一方の止め輪を貫通し、かつ該貫通バネが貫通バネ止め輪の他方の止め輪に直列接続され、貫通バネと他方の止め輪とに２つの接触部が形成され、さらにスプリング綱を被覆するラッピングブランケットを備え、前記スプリング綱の周りが接着剤でラッピングブランケットの周りに固定的に接続され、前記ラッピングブランケットは、坪量５５０〜６００ｇのウールブランケットまたは化学繊維ブランケットであることを特徴とする折り畳み可能な張力スプリングマットレス。
【０００７】
基本的な解決策の原理：ユーザーがマットレスの上に横たわっているときに、人間の重量はラッピングブランケットに直接作用し、ラッピングブランケットによって垂直下向きの圧力がスプリング綱の周りに対する引張力に分散され、スプリング綱の周りの丸いバネが最初に引張力を受け、次に丸いバネから引張力を貫通バネに伝え、さらに貫通バネによって直列接続された丸いバネを引っ張って移動させ、このとき貫通バネによって直列接続された同列の隣接の２つの丸いバネは、一方の丸いバネに挿入接触部が位置し、他方の丸いバネに引出接触部が位置し、２つの接触部が貫通バネの両側に位置し、２つの丸いバネが互いに支持されてそれらに作用された力が相殺され、異なる行の丸いバネのずれを回避し、スプリングマットレスの全体構造の安定性を確保し、同時に受けた張力が複数の丸いバネおよび貫通バネに分散し、貫通バネおよび丸いバネが引張力を受けると、貫通バネによって直列接続された丸いバネの上に、単一の丸いバネおよび単一の貫通バネの塑性変形がさらに低減される。
【０００８】
同時に、局所の丸いバネが垂直下向きの圧力を受けると、丸いバネが押し下げられ、押し下げられると止め輪に直列接続された貫通バネが引っ張られ、垂直方向の圧力が貫通バネに対する引張力に変換され、貫通バネがそれに止め輪で接続されたすべての丸いバネを引っ張り、引張力をすべての丸いバネに均等に伝え、さらに垂直方向の圧力を各丸いバネに分散する。
【０００９】
基本的な解決策の利点：
１、垂直方向の圧力がラッピングブランケットに直接作用するので、貫通バネには力がかからず、同時にラッピングブランケットが垂直方向の圧力を張力に変換でき、該張力がスプリング綱の周りに均等に作用し、そして張力がスプリング綱周りの引張力に変換され、垂直方向の圧力を効果的に分散でき、局所の丸いバネおよび貫通バネが受ける垂直方向の圧力をさらに減らし、単一の丸いバネおよび貫通バネの塑性変形を効果的に低減できるとともに、垂直方向の圧力大きいほど、ラッピングブランケットで発生される張力も大きくなり、圧力から変換される引張力も大きくなり、引張力が強くなり、スプリング綱が変形しにくい。
２、貫通バネによって丸いバネが直列接続される方式によれば、丸いバネが１つの挿入接触部および１つの引出接触部を有し、且つ引出接触部および挿入接触部が丸いバネの両側に位置し、貫通バネが引張力を受けると、丸いバネの接触部が力を受け、力受けポイントが２つの丸いバネに位置し、且つ貫通バネの両側に位置する場合、同一列上の２つの丸いバネ間が押圧され、丸いバネのずれを効果的に回避し、スプリングマットレス全体の変形も防止することができる。
３、坪量５５０〜６００ｇのウールブランケットまたは化学繊維ブランケットを使用すれば、垂直方向の圧力を受けても、変形しにくく、垂直方向の圧力を張力に効果的に変換でき、ユーザーがスプリングマットレスの弾性を素早く感じることができ、ユーザーに快適性を与える。
【００１０】
以上のように、本考案のスプリングマットレスでは、ラッピングブランケットにより垂直方向の圧力を張力に変換し、張力がスプリング綱の周りに作用して丸いバネおよび貫通バネに対する引張力に変換され、さらに力がそれぞれの丸いバネに均等に分散するので、局所の丸いバネおよび貫通バネへの過度のストレスを回避し、スプリング綱および貫通バネの曲げや凹凸を避け、マットレスの良好な弾性を保持し、さらにスプリングマットレスの快適性を高める。
【００１１】
好ましい解決策１：基本的な解決策の好ましい解決策として、前記丸いバネの自由高さが１５６ｍｍであり、上端および下端の直径が５２ｍｍであり、凹部直径が４２ｍｍであり、丸いバネのワイヤ直径が１．７５ｍｍであり、前記丸いバネの巻き数が６ターン以上であり、前記貫通バネのワイヤ直径が１．４ｍｍであり、ねじ径が８．１ｍｍであり、ピッチが１１ｍｍである。上記のように、凹面の丸いバネの安定性が高く、コンパクトな構造を持ち、垂直方向からの荷重と振動に耐えることができ、且つ貫通バネは丸いバネの各パラメータに一致し、貫通バネによって丸いバネがより安定に直列接続され得る。
【００１２】
好ましい解決策２：好ましい解決策１の好ましい解決策として、綿ビスコースおよびプラスチック製のバランス綱をさらに備え、前記プラスチック製のバランス綱がスプリング綱と接触しており、前記ラッピングブランケットはプラスチック製のバランス綱を被覆し、前記綿ビスコースはラッピングブランケットを被覆する。上記のように、綿ビスコースおよびプラスチック製のバランス綱を使用すれば、丸いバネの振動をさらに低減でき、同時に綿ビスコースおよびプラスチック製のバランス綱によりユーザーに良い快適性を与える。
【００１３】
好ましい解決策３：好ましい解決策２の好ましい解決策として、前記貫通バネの両端がすべて丸いバネ上に固定的に巻かれる。上記のように、貫通バネが丸いバネから外れるのを効果的に防止し、同時にスプリング綱の安定性を高めることができる。
【図面の簡単な説明】
【００１４】
【図１】図１は従来技術におけるスプリングマットレスの側面図である。
【図２】図２は従来技術におけるスプリングマットレスの圧縮状態図である。
【図３】図３は従来技術における貫通バネ方式の平面模式図である。
【図４】図４は本考案の折り畳み可能な張力スプリングマットレスの実施例の構造模式図である。
【図５】図５は本考案における貫通バネ方式の平面模式図である。
【図６】図６は図４における丸いバネ凹部の模式図である。
【考案を実施するための形態】
【００１５】
以下、具体的な実施形態を通じて本考案をさらに詳しく説明する。
【００１６】
図４および図５に示すように、実施例は、主に、スプリング綱と、スプリング綱を被覆するラッピングブランケット４０とを備える折り畳み可能な張力スプリングマットレスである。
【００１７】
１ｍ２のスプリング綱で３３４個の丸いバネ１０および丸いバネ１０に直列接続される複数の貫通バネ２０を使用し、丸いバネ１０の長方形行列は同じ水平面上にあり、隣接列の丸いバネ１０の間の間隔Ｈが１１ｍｍであり、隣接行の丸いバネ１０の支持リングが互いに隣接または交差する。貫通バネ２０の右端を左から右へ１列目、２列目、Ｎ列目の丸いバネ１０に順に挿入し、且つ１つの貫通バネ２０が２行の丸いバネ１０を貫通し、貫通バネ２０の左端がまず１行目の第１の丸いバネ１０に挿入され、次に２行目の第２の丸いバネ１０から引出され、１行目の第１の丸いバネ１０と貫通バネ２０との接触部３０が丸いバネ１０の左側に位置し、２行目の第２の丸いバネ１０と貫通バネ２０との接触部３０が丸いバネ１０の右側に位置し、２つの接触部３０が貫通バネ２０の両側に位置し、丸いバネ１０と貫通バネ２０との接触部３０が貫通バネ２０の両側に位置するので、貫通バネ２０または丸いバネ１０が引張力受けると丸いバネ１０がずれることを回避する。
【００１８】
貫通バネ２０の左端がもっとも左側の丸いバネ１０上に巻かれ、貫通バネ２０の右端がもっとも右側の丸いバネ１０上に巻かれるので、貫通バネ２０と丸いバネ１０とが比較的静止したままである。
【００１９】
丸いバネ１０自由高さが１５６ｍｍであり、上端および下端の直径が５２ｍｍであり、凹部直径が４２ｍｍであり、丸いバネ１０のワイヤ直径が１．７５ｍｍであり、丸いバネ１０の巻き数が６ターン以上であり、貫通バネ２０のワイヤ直径が１．４ｍｍであり、ねじ径が８．１ｍｍであり、ピッチが１１ｍｍであり、貫通バネ２０は丸いバネ１０の各パラメータに一致し、貫通バネ２０によって丸いバネ１０がより安定に直列接続され得る。
【００２０】
図６に示すように、丸いバネ１０の凹部に貫通バネ２０を係止するための貫通バネ止め輪が溶接され、貫通バネ止め輪は、十字に交差する２つの止め輪７０が溶接されてなり、それぞれの貫通バネ止め輪に十字型交差状の２つの貫通バネ２０が挿入され、一方の貫通バネ２０が貫通バネ止め輪の一方の止め輪７０を貫通し、かつ該貫通バネ２０が貫通バネ止め輪の他方の止め輪７０に直列接続され、貫通バネ２０と他方の止め輪７０とが２つの接触部３０を形成し、貫通バネ２０が各貫通バネ止め輪中に挿入されると、丸いバネ１０凹部の貫通バネ２０が綱状に分布し、局所の丸いバネ１０が垂直下向きの圧力を受けると、局所の丸いバネ１０がまず押し下げられ、丸いバネ１０が押し下げられると垂直方向の圧力が貫通バネ２０に対する引張力に変換され、貫通バネ２０に直列接続されたすべての丸いバネ１０が引張力を受け、垂直方向の圧力をスプリング綱のすべての丸いバネ１０に分散し、すべての丸いバネ１０が受けた力がより均等になり、局所の丸いバネ１０の塑性変形を回避し、貫通バネ２０およびスプリング綱全体の曲げや凹凸がない。
【００２１】
スプリング綱の表面にプラスチック製のバランス綱６０が被覆され、プラスチック製のバランス綱６０の外面にラッピングブランケット４０が被覆され、ラッピングブランケット４０の外面に綿ビスコース５０が被覆され、ただし、ラッピングブランケット４０の材料は化学繊維ブランケットまたはウールブランケットであり、化学繊維ブランケットおよびウールブランケットの坪量は５８０ｇである。プラスチック製のバランス綱６０、ラッピングブランケット４０および綿ビスコース５０の周りとスプリング綱周りの丸いバネ１０が空気圧式の釘によって固定的に接続され、空気圧式の釘の両端がプラスチック製のバランス綱６０、ラッピングブランケット４０、綿ビスコース５０および丸いバネの端部を順に貫通し、続いてプラスチック製のバランス綱６０、ラッピングブランケット４０および綿ビスコース５０の他の場所から引出された後、空気圧式の釘の両端を綿ビスコース５０の表面上に曲げ、プラスチック製のバランス綱６０、ラッピングブランケット４０および綿ビスコース５０をスプリング綱に固定し、同時に綿ビスコース５０およびラッピングブランケット４０によりユーザーにより良い柔らかさおよび快適性を与える。
【００２２】
本実施例では、ユーザーがマットレスの上に横たわっているとき、人間の重量は綿ビスコース５０およびプラスチック製のバランス綱６０に直接作用し、垂直方向の圧力がラッピングブランケット４０上に伝えられ、垂直下向きの圧力の一部分が丸いバネ１０上に作用し、局所の丸いバネ１０を押し下げ、他の部分の垂直方向の圧力がラッピングブランケット４０により張力に変換され、張力がラッピングブランケット４０の周りに均等に分散し、スプリング綱の周りに均等の引張力が作用し、スプリング綱周りの丸いバネ１０がまず引張力を受け、次に丸いバネ１０により引張力を貫通バネ２０に伝え、貫通バネ２０に直列接続された丸いバネ１０を引っ張り移動させ、このとき貫通バネ２０によって直列接続された同一列の隣接の２つの丸いバネ１０は、一方の丸いバネ１０に挿入接触部３０が位置し、他方の丸いバネ１０に引出接触部３０が位置し、２つの接触部３０が貫通バネ２０の両側に位置し、さらに２つの丸いバネ１０が互いに押され、異なる行の丸いバネ１０のずれを回避し、スプリングマットレスの全体構造の安定性を確保し、同時に受けた引張力を複数の丸いバネ１０および貫通バネ２０に分散し、貫通バネ２０および丸いバネ１０が引張力を受けると、貫通バネ２０によって直列接続された丸いバネ１０の上に、単一の丸いバネ１０および単一の貫通バネ２０の塑性変形をさらに低減する。
【００２３】
同時に垂直方向の圧力が丸いバネ１０に作用し、丸いバネ１０が押し下げられ、押し下げられると止め輪７０に直列接続された貫通バネ２０が引っ張られ、垂直方向の圧力が貫通バネ２０に対する引張力に変換され、貫通バネ２０がそれに止め輪７０で接続された丸いバネ１０を引っ張り、引張力をすべての丸いバネ１０に均等に伝え、さらに垂直方向の圧力を各丸いバネ１０に分散し、スプリングマットレスのもっとも良い弾性を保持する。
【００２４】
上記のスプリングマットレスを試験することにより、上記スプリング綱は、１ｍ２当たり１０００ｋｇの圧力にさらされると、スプリング綱が４５ｍｍ沈み、圧力を増加し続けると、ラッピングブランケット４０で張力が発生し垂直方向圧力がスプリング綱周りの引張力に変換され、圧力が大きいほど、張力から変換される引張力が大きくなる。張力によって、スプリング綱に対する跳ね上げ、跳躍、および押し付けによる破壊圧力が周りに分散され、スプリング綱には均等に力がかかり、ラッピングブランケット４０は、貫通バネ２０およびスプリング綱全体の曲げや凹凸から保護するだけでなく、上部エンクロージャーフレームおよび下部エンクロージャーフレームの代わりに、ラッピングブランケット４０がスプリング綱全体を保護し、ラッピングブランケット４０が受けた力が大きいほど、張力が大きくなり、スプリング綱の回復性能が破壊されず、スプリング綱内の丸いバネ１０および貫通バネ２０が変形しにくく、１８〜３０ｍｍ沈んで人間の曲線に合わせて人間のバランスを維持し、人間の背骨を保護し、睡眠の快適性を向上させることができる。人間は毎日２００ｍｌ以上の水を排出する必要があり、その排出水の約３分の１はラッピングブランケット４０および綿ビスコース５０で吸収され、スプリングマットレス全体が踏み込まれると、スプリング綱内の空気循環を促進し、スプリングマットレスの通気性が効果的に向上し、スプリングマットレスのカビや細菌を防ぐことができる。
【００２５】
上記の説明は本考案の実施例に過ぎず、具体的な構造および/または特性などの常識はここではあまり説明しない。本考案の精神を逸脱しない限り、当業者によってなされたさまざまな変形や修正は、本考案の保護範囲に含まれ、本考案の実施効果や実用新案の実用性に影響を与えないことに留意すべきである。本出願の保護範囲は実用新案登録請求の範囲によって示され、明細書中の具体的な実施形態などの記載は実用新案登録請求の範囲を解釈するために使用されるものである。
【符号の説明】
【００２６】
１    第１貫通バネ
２    第２貫通バネ
３    上部エンクロージャーフレーム
４    下部エンクロージャーフレーム
５    クリップチップ
６    支持スプリング
１０  丸いバネ
２０  貫通バネ
３０  接触部
４０  ラッピングブランケット
５０  綿ビスコース
６０  プラスチック製のバランス綱
７０  止め輪
【図１】
0003227270.tif 000003
【図２】
0003227270.tif 000004
【図３】
0003227270.tif 000005
【図４】
0003227270.tif 000006
【図５】
0003227270.tif 000007
【図６】
0003227270.tif 000008